(57)【要約】【課題】接触ピンと端子ブロックの端子との間における接触不良を抑制できる無停電取替工具を提供すること。【解決手段】無停電取替工具は、充電部である充電端子、及び充電部ではなく且つ雌ネジを有する非充電端子を備える電力量計の端子ブロックに取り付けられる。無停電取替工具は、ケースと、ケースから突出し雌ネジに取り付けられる固定ネジと、ケースから突出し充電端子の表面に接触させられる接触ピンと、を備える。【選択図】図７
2018025468.tif 000002
【特許請求の範囲】
【請求項１】
充電部である充電端子、及び充電部ではなく且つ雌ネジを有する非充電端子を備える電力量計の端子ブロックに取り付けられる無停電取替工具であって、
ケースと、
前記ケースから突出し、前記雌ネジに取り付けられる固定ネジと、
前記ケースから突出し、前記充電端子の表面に接触させられる接触ピンと、
を備える無停電取替工具。
【請求項２】
前記充電端子の長手方向における前記接触ピンの位置は、前記長手方向における前記固定ネジの位置に対してずれている
請求項１に記載の無停電取替工具。
【請求項３】
前記ケースは、前記端子ブロックに向かって突出する複数の筒状突出部を備え、
前記固定ネジ及び前記接触ピンは、それぞれ前記筒状突出部から突出する
請求項１又は２に記載の無停電取替工具。
【発明の詳細な説明】
【技術分野】
【０００１】
本発明は、無停電取替工具に関する。
【背景技術】
【０００２】
電力使用量を計測する電力量計の計量器を、交換、点検又は修理等のために取り替える際、取替作業の間に停電させないように、無停電取替工具を用いて無停電で電力量計の取替作業が行われる。具体的には、電力量計に接続された電源側配線及び負荷側配線が無停電取替工具により短絡された状態で、電力量計の取替作業が行われる。このように、無停電で電力量計の取替作業を行うための工具として、例えば特許文献１に記載される電力量計用バイパス工具が知られている。
【先行技術文献】
【特許文献】
【０００３】
【特許文献１】特開２００９−１５０７５３号公報
【発明の概要】
【発明が解決しようとする課題】
【０００４】
特許文献１の電力量計用バイパス工具は、両端に配置された固定用ピンによって電力量計の端子ブロックに固定されている。固定用ピンが締め付けられることで、複数の接触ピンが端子ブロックの端子に接触させられる。しかしながら、固定用ピンが両端に配置されているので、複数の接触ピンのそれぞれに対して均等に力が加わらない可能性がある。このため、接触ピンと端子ブロックの端子との間における接触不良が生じる可能性がある。
【０００５】
本発明は、上記に鑑みてなされたものであって、接触ピンと端子ブロックの端子との間における接触不良を抑制できる無停電取替工具を提供することを目的とする。
【課題を解決するための手段】
【０００６】
上述した課題を解決し、目的を達成するために、本発明の一態様に係る無停電取替工具は、充電部である充電端子、及び充電部ではなく且つ雌ネジを有する非充電端子を備える電力量計の端子ブロックに取り付けられる無停電取替工具であって、ケースと、前記ケースから突出し、前記雌ネジに取り付けられる固定ネジと、前記ケースから突出し、前記充電端子の表面に接触させられる接触ピンと、を備える。
【０００７】
端子ブロックにおいて、非充電端子は充電端子と充電端子の間に配置されている。このため、無停電取替工具は、充電端子と充電端子の間の位置で固定ネジによって端子ブロックに固定される。これにより、複数の接触ピンのそれぞれに対して均等に力が加わりやすい。したがって、無停電取替工具は、電力量計の端子と接触ピンとの間における接触不良を抑制できる。
【０００８】
無停電取替工具の望ましい態様として、前記充電端子の長手方向における前記接触ピンの位置は、前記長手方向における前記固定ネジの位置に対してずれていることが好ましい。
【０００９】
これにより、接触ピンの位置が充電端子の雌ネジに対してずれる。これにより、接触ピンが雌ネジではなく充電端子の表面に対向しやすくなっている。このため、接触ピンと充電端子との間における接触不良を抑制される。
【００１０】
無停電取替工具の望ましい態様として、前記ケースは、前記端子ブロックに向かって突出する複数の筒状突出部を備え、前記固定ネジ及び前記接触ピンは、それぞれ前記筒状突出部から突出することが好ましい。
【００１１】
これにより、端子ブロックにおいて充電端子及び非充電端子が配置される凹部にそれぞれの筒状突出部が嵌まる。このため、無停電取替工具を端子ブロックに取り付けるときの、無停電取替工具の位置決めが容易である。
【発明の効果】
【００１２】
本発明によれば、接触ピンと端子ブロックの端子との間における接触不良を抑制できる無停電取替工具を提供することができる。
【図面の簡単な説明】
【００１３】
【図１】図１は、電力量計を示す正面図である。
【図２】図２は、電力量計の端子ブロックを示す正面図である。
【図３】図３は、本実施形態に係る無停電取替工具を示す正面図である。
【図４】図４は、本実施形態に係る無停電取替工具を示す背面図である。
【図５】図５は、図３におけるＡ−Ａ断面図である。
【図６】図６は、本実施形態に係る無停電取替工具の電気回路を示す模式図である。
【図７】図７は、本実施形態に係る無停電取替工具が端子ブロックに取り付けられた状態の、図３におけるＡ−Ａ断面図である。
【図８】図８は、変形例１に係る無停電取替工具を示す正面図である。
【図９】図９は、変形例１に係る無停電取替工具の電気回路を示す模式図である。
【図１０】図１０は、変形例２に係る無停電取替工具を示す正面図である。
【図１１】図１１は、変形例２に係る無停電取替工具の電気回路を示す模式図である。
【発明を実施するための形態】
【００１４】
以下、本発明につき図面を参照しつつ詳細に説明する。なお、下記の発明を実施するための形態（以下、実施形態という）により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００１５】
（実施形態）
図１は、電力量計を示す正面図である。電力量計１００は、電力を積算することで電力量を計量する装置である。電力量計１００は、例えば通信装置を備えており、計量した電力量をデジタル信号として発信することができる。すなわち、電力量計１００はスマートメーターである。また、電力量計１００は、定格電流が６０Ａであるスマートメーターである。
【００１６】
以下の説明において、壁に取り付けられた電力量計１００を正面から見たときの、電力量計１００の左右方向をＸ方向、電力量計１００の奥行き方向をＹ方向、鉛直方向をＺ方向としたＸＹＺ直交座標系を用いる。図１において、右方向を＋Ｘ方向とし、紙面手前から奥に向かう方向を＋Ｙ方向とし、上方向を＋Ｚ方向とする。
【００１７】
図１に示すように、電力量計１００は、電力量を計量する計量器１と、複数の計器用配線９が連結される端子ブロック２と、を備える。計器用配線９は、電源側配線９ａ、電源側配線９ｂ、電源側配線９ｃ、負荷側配線９ｄ、負荷側配線９ｅ及び負荷側配線９ｆを含む。電源側配線９ａ、電源側配線９ｂ、電源側配線９ｃ、負荷側配線９ｄ、負荷側配線９ｅ及び負荷側配線９ｆは、それぞれ端子ブロック２の電線挿入穴２１に挿入された状態で、端子ネジ２２によって固定されている。
【００１８】
電源側配線９ａは、計量器１を介して負荷側配線９ｆと接続されている。電源側配線９ｃは、計量器１を介して負荷側配線９ｄと接続されている。一方、電源側配線９ｂは、計量器１を介さずに負荷側配線９ｅと接続されている。また、電源側配線９ｂは、アースされている（接地されている）。
【００１９】
図２は、電力量計の端子ブロックを示す正面図である。図２に示すように、端子ブロック２は、充電端子３ａと、非充電端子４ｂと、充電端子３ｃと、充電端子３ｄと、非充電端子４ｅと、充電端子３ｆと、を備える。充電端子３ａは、電源側配線９ａと接続されており、且つ雌ネジ３１ａを備える。非充電端子４ｂは、電源側配線９ｂと接続されており、且つ雌ネジ４１ｂを備える。充電端子３ｃは、電源側配線９ｃと接続されており、且つ雌ネジ３１ｃを備える。充電端子３ｄは、負荷側配線９ｄと接続されており、且つ雌ネジ３１ｄを備える。非充電端子４ｅは、負荷側配線９ｅと接続されており、且つ雌ネジ４１ｅを備える。充電端子３ｆは、負荷側配線９ｆと接続されており、且つ雌ネジ３１ｆを備える。雌ネジ３１ａ、雌ネジ４１ｂ、雌ネジ３１ｃ、雌ネジ３１ｄ、雌ネジ４１ｅ及び雌ネジ３１ｆは、互いに同じ直径Ｄ１を有する。
【００２０】
充電端子３ａ、充電端子３ｃ、充電端子３ｄ及び充電端子３ｆは、充電部である。充電部とは、大地との間に１ｋΩの抵抗を接続したときに当該抵抗を流れる電流が１ｍＡ以下である部分を意味する。一方、電源側配線９ｂがアースされているので、非充電端子４ｂ及び非充電端子４ｅは充電部ではない。
【００２１】
図３は、本実施形態に係る無停電取替工具を示す正面図である。図４は、本実施形態に係る無停電取替工具を示す背面図である。図５は、図３におけるＡ−Ａ断面図である。図６は、本実施形態に係る無停電取替工具の電気回路を示す模式図である。
【００２２】
無停電取替工具５は、無停電で電力量計１００の計量器１が取り換えられるときに使用される工具である。無停電取替工具５は、図１に示すように、端子ブロック２の正面側を覆うように取り付けられる。図３から図６に示すように、無停電取替工具５は、ケース５０と、固定ネジ６０ｂと、固定ネジ６０ｅと、接触ピン６２ａと、押込ネジ６１ａと、弾性部材６３ａと、接触ピン６２ｃと、接触ピン６２ｄと、押込ネジ６１ｃｄと、弾性部材６３ｃｄと、接触ピン６２ｆと、押込ネジ６１ｆと、弾性部材６３ｆと、バイパス金具６５と、カレントトランスフォーマー６６と、バイパス金具６７と、カレントトランスフォーマー６８と、回路基板７０と、ランプ７１と、ランプ７２と、を備える。
【００２３】
ケース５０は、例えば合成樹脂等の絶縁体で形成された中空部材である。ケース５０は、筒状突出部５１ａと、筒状突出部５１ｂと、筒状突出部５１ｃと、筒状突出部５１ｄと、筒状突出部５１ｅと、筒状突出部５１ｆと、ケース雌ネジ５２ｂと、ケース雌ネジ５２ｅと、を備える。
【００２４】
図４及び図５に示すように、筒状突出部５１ａから筒状突出部５１ｆは、例えば円筒状の部材であって、ケース５０の背面側から＋Ｙ方向に突出している。すなわち、筒状突出部５１ａから筒状突出部５１ｆは、無停電取替工具５が端子ブロック２に取り付けられた状態において、端子ブロック２に向かって突出している。図４に示すように、筒状突出部５１ａ、筒状突出部５１ｃ、筒状突出部５１ｄ及び筒状突出部５１ｆは、仮想直線Ｌ１上に並んでいる。筒状突出部５１ｂ及び筒状突出部５１ｅは、仮想直線Ｌ２上に並んでいる。仮想直線Ｌ２は、仮想直線Ｌ１と平行であって、仮想直線Ｌ１に対してＺ方向にずれている。仮想直線Ｌ１から仮想直線Ｌ２までの距離Ｄ２は、図２に示す直径Ｄ１以上である。また、ケース雌ネジ５２ｂは、図５に示すようにＹ方向で筒状突出部５１ｂに重なる位置に配置されている。ケース雌ネジ５２ｅは、Ｙ方向で筒状突出部５１ｅに重なる位置に配置されている。
【００２５】
固定ネジ６０ｂ及び固定ネジ６０ｅは、無停電取替工具５と端子ブロック２を連結するための部材であって、例えば鋼材で形成されている。固定ネジ６０ｂは、ケース雌ネジ５２ｂに噛み合っており、且つケース雌ネジ５２ｂを貫通している。固定ネジ６０ｅは、ケース雌ネジ５２ｅに噛み合っており、且つケース雌ネジ５２ｅを貫通している。
【００２６】
固定ネジ６０ｂ及び固定ネジ６０ｅは、ケース５０の正面側からドライバー等の工具によって右回りに回転させられることで、ケース５０の背面側に突出する。また、図５に示すように、固定ネジ６０ｂ及び固定ネジ６０ｅの頭部から先端までの長さＬ１は、ケース５０の正面側表面から筒状突出部５１ａの先端までの長さＬ２より小さい。このため、固定ネジ６０ｂ及び固定ネジ６０ｅの位置が調節されることで、固定ネジ６０ｂ及び固定ネジ６０ｅはケース５０から突出しない。
【００２７】
接触ピン６２ａは、充電端子３ａの表面に接触する部材であって、例えば銅で形成されている。接触ピン６２ａは、後述する接触ピン６２ｃ及び接触ピン６２ｄと同様に−Ｙ方向の端部に小径部を備える。接触ピン６２ａの小径部はバイパス金具６５を貫通している。接触ピン６２ａの小径部が加締められることで、接触ピン６２ａがバイパス金具６５に固定されている。バイパス金具６５は、バイパス工具雌ネジ６５１ａを有する。押込ネジ６１ａは、バイパス工具雌ネジ６５１ａに噛み合っている。図６に示すように、押込ネジ６１ａのＺ方向の位置は、接触ピン６２ａのＺ方向の位置に対してずれている。押込ネジ６１ａの頭部は、ケース５０の外表面に接している。弾性部材６３ａは、例えば圧縮コイルバネである。押込ネジ６１ａは、弾性部材６３ａを貫通している。弾性部材６３ａの一端はケース５０の内壁に接合されており、弾性部材６３ａの他端はバイパス金具６５に接合されている。このため、押込ネジ６１ａが回転しても、バイパス金具６５及び接触ピン６２ａは回転しない。
【００２８】
押込ネジ６１ａは、ケース５０の正面側からドライバー等の工具によって左回りに回転させられることで、バイパス工具雌ネジ６５１ａから抜けていく。すなわち、押込ネジ６１ａが左回りに回転させられると、バイパス金具６５及び接触ピン６２ａが＋Ｙ方向に移動する。また、図５に示すように、押込ネジ６１ａの頭部から接触ピン６２ａの先端までの最小の長さＬ１は、長さＬ２より小さい。このため、接触ピン６２ａが最も−Ｙ方向寄りに位置するとき、押込ネジ６１ａ及び接触ピン６２ａはケース５０から突出しない。
【００２９】
接触ピン６２ｃは、充電端子３ｃの表面に接触する部材であって、例えば銅で形成されている。接触ピン６２ｄは、充電端子３ｄの表面に接触する部材であって、例えば銅で形成されている。接触ピン６２ｃ及び接触ピン６２ｄは、バイパス金具６７で連結されている。接触ピン６２ｃは、−Ｙ方向の端部に小径部６２２ｃを備え、接触ピン６２ｄは、−Ｙ方向の端部に小径部６２２ｄを備える。小径部６２２ｃ及び小径部６２２ｄはバイパス工具６７を貫通している。小径部６２２ｃ及び小径部６２２ｄが加締められることで、接触ピン６２ｃ及び接触ピン６２ｄがバイパス金具６７に固定されている。図５に示すように、押込ネジ６１ｃｄは、バイパス工具６７に設けられたバイパス工具雌ネジ６７１を貫通しており且つバイパス工具雌ネジ６７１に噛み合っている。押込ネジ６１ｃｄの頭部は、ケース５０の外表面に接している。弾性部材６３ｃｄは、例えば圧縮コイルバネである。押込ネジ６１ｃｄは、弾性部材６３ｃｄを貫通している。弾性部材６３ｃｄの一端はケース５０の内壁に接合されており、弾性部材６３ｃｄの他端はバイパス工具６７に接合されている。このため、押込ネジ６１ｃｄが回転しても、バイパス工具６７、接触ピン６２ｃ及び接触ピン６２ｄは回転しない。
【００３０】
押込ネジ６１ｃｄは、ケース５０の正面側からドライバー等の工具によって左回りに回転させられることで、バイパス工具雌ネジ６７１から抜けていく。すなわち、押込ネジ６１ｃｄが左回りに回転させられると、接触ピン６２ｃ及び接触ピン６２ｄが＋Ｙ方向に移動する。また、押込ネジ６１ｃｄが右回りに回転させられると、接触ピン６２ｃ及び接触ピン６２ｄが−Ｙ方向し、小径部６２２ｃ及び小径部６２２ｄがケース５０に接する。これにより、接触ピン６２ｃ及び接触ピン６２ｄの可動範囲が規制されている。図５に示すように、小径部６２２ｃ及び小径部６２２ｄがケース５０に接している時、押込ネジ６１ｃｄの頭部から接触ピン６２ｃ（接触ピン６２ｄ）の先端までの長さＬ１は、長さＬ２より小さい。このため、接触ピン６２ｃ及び接触ピン６２ｄが最も−Ｙ方向寄りに位置するとき、押込ネジ６１ｃｄ、接触ピン６２ｃ及び接触ピン６２ｄはケース５０から突出しない。
【００３１】
接触ピン６２ｆは、充電端子３ｆの表面に接触する部材であって、例えば銅で形成されている。接触ピン６２ｆは、接触ピン６２ｃ及び接触ピン６２ｄと同様に−Ｙ方向の端部に小径部を備える。接触ピン６２ｆの小径部はバイパス金具６５を貫通している。接触ピン６２ｆの小径部が加締められることで、接触ピン６２ｆがバイパス金具６５に固定されている。バイパス金具６５は、バイパス工具雌ネジ６５１ｆを有する。押込ネジ６１ｆは、バイパス工具雌ネジ６５１ｆに噛み合っている。図６に示すように、押込ネジ６１ｆのＺ方向の位置は、接触ピン６２ｆのＺ方向の位置に対してずれている。押込ネジ６１ｆの頭部は、ケース５０の外表面に接している。弾性部材６３ｆは、例えば圧縮コイルバネである。押込ネジ６１ｆは、弾性部材６３ｆを貫通している。弾性部材６３ｆの一端はケース５０の内壁に接合されており、弾性部材６３ｆの他端はバイパス金具６５に接合されている。このため、押込ネジ６１ｆが回転しても、バイパス金具６５及び接触ピン６２ｆは回転しない。
【００３２】
押込ネジ６１ｆは、ケース５０の正面側からドライバー等の工具によって左回りに回転させられることで、バイパス工具雌ネジ６５１ｆから抜けていく。すなわち、押込ネジ６１ｆが左回りに回転させられると、バイパス金具６５及び接触ピン６２ｆが＋Ｙ方向に移動する。また、図５に示すように、押込ネジ６１ｆの頭部から接触ピン６２ｆの先端までの最小の長さＬ１は、長さＬ２より小さい。このため、接触ピン６２ｆが最も−Ｙ方向寄りに位置するとき、押込ネジ６１ｆ及び接触ピン６２ｆはケース５０から突出しない。
【００３３】
バイパス金具６５は、接触ピン６２ａと接触ピン６２ｆとを接続するための部材であって、例えば銅で形成されている。図６に示すように、バイパス金具６５は略Ｕ字形状であって、バイパス金具６７を迂回している。接触ピン６２ａが充電端子３ａに接触し且つ接触ピン６２ｆが充電端子３ｆに接触すると、バイパス金具６５を介して接触ピン６２ａから接触ピン６２ｆへ電流が流れる。
【００３４】
カレントトランスフォーマー６６は、電流の大きさを変換するための装置である。カレントトランスフォーマー６６は、回路基板７０と接続されている。図５に示すように、接触ピン６２ａがカレントトランスフォーマー６６を貫通している。接触ピン６２ａから接触ピン６２ｆへ電流が流れると、カレントトランスフォーマー６６は、所定の比率で小さくした電流を回路基板７０に送る。
【００３５】
バイパス金具６７は、接触ピン６２ｃと接触ピン６２ｄとを接続するための部材であって、例えば銅で形成されている。接触ピン６２ｃが充電端子３ｃに接触し且つ接触ピン６２ｄが充電端子３ｄに接触すると、バイパス金具６７を介して接触ピン６２ｃから接触ピン６２ｄへ電流が流れる。
【００３６】
カレントトランスフォーマー６８は、電流の大きさを変換するための装置である。カレントトランスフォーマー６８は、回路基板７０と接続されている。図５に示すように、接触ピン６２ｄがカレントトランスフォーマー６８を貫通している。接触ピン６２ｃから接触ピン６２ｄへ電流が流れると、カレントトランスフォーマー６８は、所定の比率で小さくした電流を回路基板７０に送る。
【００３７】
回路基板７０は、ランプ７１及びランプ７２を点灯させるための電気回路が配置された基板である。ランプ７１及びランプ７２は、例えばＬＥＤランプである。ランプ７１は、接触ピン６２ａから接触ピン６２ｆへ電流が流れたとき点灯する。ランプ７２は、接触ピン６２ｃから接触ピン６２ｄへ電流が流れたとき点灯する。
【００３８】
図７は、本実施形態に係る無停電取替工具が端子ブロックに取り付けられた状態の、図３におけるＡ−Ａ断面図である。無停電取替工具５が端子ブロック２に取り付けられるとき、まず無停電取替工具５の位置決めが行われる。具体的には、図７に示すように、充電端子３ａが配置された凹部２５ａに筒状突出部５１ａが嵌められ、非充電端子４ｂが配置された凹部２５ｂに筒状突出部５１ｂが嵌められ、充電端子３ｃが配置された凹部２５ｃに筒状突出部５１ｃが嵌められ、充電端子３ｄが配置された凹部２５ｄに筒状突出部５１ｄが嵌められ、非充電端子４ｅが配置された凹部２５ｅに筒状突出部５１ｅが嵌められ、充電端子３ｆが配置された凹部２５ｆに筒状突出部５１ｆが嵌められる。より具体的には、筒状突出部５１ｂが非充電端子４ｂの雌ネジ４１ｂに重なり且つ筒状突出部５１ｅが非充電端子４ｅの雌ネジ４１ｅに重なるように、無停電取替工具５の位置が調節される。筒状突出部５１ａ、筒状突出部５１ｂ、筒状突出部５１ｃ、筒状突出部５１ｄ、筒状突出部５１ｅ及び筒状突出部５１ｆにより、位置決めが容易である。
【００３９】
位置決めされた後、固定ネジ６０ｂ及び固定ネジ６０ｅが回転させられる。ケース５０から突出した固定ネジ６０ｂは、図７に示すように、非充電端子４ｂの雌ネジ４１ｂに噛み合う。ケース５０から突出した固定ネジ６０ｅは、非充電端子４ｅの雌ネジ４１ｅに噛み合う。これにより、無停電取替工具５が端子ブロック２に固定される。非充電端子４ｂ及び非充電端子４ｅは上述したように充電部ではないので、無停電取替工具５を取り付ける作業中での作業者の感電が防がれる。
【００４０】
無停電取替工具５が端子ブロック２に固定された後、押込ネジ６１ａ、押込ネジ６１ｃｄ及び押込ネジ６１ｆがそれぞれ回転させられる。これにより、図７に示すように、接触ピン６２ａが筒状突出部５１ａから突出し、充電端子３ａに接触する。接触ピン６２ｃが筒状突出部５１ｃから突出し、充電端子３ｃに接触する。接触ピン６２ｄが筒状突出部５１ｄから突出し、充電端子３ｄに接触する。接触ピン６２ｆが筒状突出部５１ｆから突出し、充電端子３ｆに接触する。
【００４１】
接触ピン６２ａが充電端子３ａに接触し且つ接触ピン６２ｆが充電端子３ｆに接触すると、接触ピン６２ａから接触ピン６２ｆへ電流が流れる。この時ランプ７１が点灯するので、作業者は図１に示した電源側配線９ａと負荷側配線９ｆとが接続されたことを確認することができる。また、接触ピン６２ｃが充電端子３ｃに接触し且つ接触ピン６２ｄが充電端子３ｄに接触すると、接触ピン６２ｃから接触ピン６２ｄへ電流が流れる。この時ランプ７２が点灯するので、作業者は図１に示した電源側配線９ｃと負荷側配線９ｄとが接続されたことを確認することができる。また、接触ピン６２ａ、接触ピン６２ｃ、接触ピン６２ｄ、接触ピン６２ｆ、バイパス金具６５及びバイパス金具６７が銅で形成されているので、発熱が抑制されている。
【００４２】
押込ネジ６１ａは、通常のネジを締める時と同様に右回りに回転させられると−Ｙ方向に移動する（引っ込む）。このため、接触ピン６２ａの充電端子３ａへの不用意な接触が防がれる。また、接触ピン６２ａには、弾性部材６３ａによって＋Ｙ方向の力が加えられている。これにより、接触ピン６２ａが充電端子３ａに接触した状態が保たれやすい。すなわち、接触ピン６２ａと充電端子３ａとの間の接触不良が生じにくい。さらに、仮に経年変化により弾性部材６３ａの弾性力が弱まったとしても、接触ピン６２ａに加えられる＋Ｙ方向の力は、押込ネジ６１ａにより調節可能である。このため、無停電取替工具５は、弾性部材６３ａの弾性力に関わらず使用することができる。これらの説明は、押込ネジ６１ｃｄ及び押込ネジ６１ｆについても適用できる。
【００４３】
なお、接触ピン６２ａ、接触ピン６２ｃ、接触ピン６２ｄ及び接触ピン６２ｆは、必ずしもそれぞれ押込ネジ６１ａ、押込ネジ６１ｃｄ及び押込ネジ６１ｆによって移動させられなくてもよい。例えば、接触ピン６２ａ、接触ピン６２ｃ、接触ピン６２ｄ及び接触ピン６２ｆは、固定ネジ６０ｂ及び固定ネジ６０ｅと同様に、ケース５０に設けられたケース雌ネジに噛み合っていてもよい。このような場合、接触ピン６２ａ、接触ピン６２ｃ、接触ピン６２ｄ及び接触ピン６２ｆがドライバー等の工具で直接操作される。
【００４４】
なお、接触ピン６２ｃ及び接触ピン６２ｄは、必ずしも押込ネジ６１ｃｄによって同時に移動させられなくてもよい。例えば、接触ピン６２ｃ及び接触ピン６２ｄは、それぞれ別の押込ネジによって移動させられてもよい。すなわち、押込ネジ６１ｃｄに代えて、接触ピン６２ｃを移動させる押込ネジと、接触ピン６２ｄを移動させる押込ネジとが設けられていてもよい。
【００４５】
なお、無停電取替工具５は、必ずしも弾性部材６３ａ、弾性部材６３ｃｄ及び弾性部材６３ｆを備えていなくてもよい。また、ランプ７１及びランプ７２は、必ずしもＬＥＤランプでなくてもよく、例えばハロゲンランプ、蛍光ランプ等であってもよい。また、ランプ７１及びランプ７２はなくてもよい。
【００４６】
以上で説明したように、無停電取替工具５は、充電部である充電端子（充電端子３ａ、充電端子３ｃ、充電端子３ｄ及び充電端子３ｆ）、及び充電部ではなく且つ雌ネジを有する非充電端子（非充電端子４ｂ及び非充電端子４ｅ）を備える電力量計１００の端子ブロック２に取り付けられる工具である。無停電取替工具５は、ケース５０と、ケース５０から突出し雌ネジ（雌ネジ４１ｂ及び雌ネジ４１ｅ）に取り付けられる固定ネジ（固定ネジ６０ｂ及び固定ネジ６０ｅ）と、ケース５０から突出し充電端子（充電端子３ａ、充電端子３ｃ、充電端子３ｄ及び充電端子３ｆ）の表面に接触させられる接触ピン（接触ピン６２ａ、接触ピン６２ｃ、接触ピン６２ｄ及び接触ピン６２ｆ）と、を備える。
【００４７】
端子ブロック２において、非充電端子は充電端子と充電端子の間に配置されている。このため、無停電取替工具５は、充電端子と充電端子の間の位置で固定ネジ（固定ネジ６０ｂ及び固定ネジ６０ｅ）によって端子ブロック２に固定される。これにより、複数の接触ピン（接触ピン６２ａ、接触ピン６２ｃ、接触ピン６２ｄ及び接触ピン６２ｆ）のそれぞれに対して均等に力が加わりやすい。したがって、無停電取替工具５は、接触ピンと端子ブロック２の端子との間における接触不良を抑制できる。
【００４８】
無停電取替工具５においては、充電端子の長手方向（Ｚ方向）における接触ピン（接触ピン６２ａ、接触ピン６２ｃ、接触ピン６２ｄ及び接触ピン６２ｆ）の位置は、充電端子の長手方向（Ｚ方向）における固定ネジ（固定ネジ６０ｂ及び固定ネジ６０ｅ）の位置に対してずれている。より具体的には、上述したように、距離Ｄ２（図４参照）が直径Ｄ１（図２参照）以上である。
【００４９】
これにより、接触ピン（接触ピン６２ａ、接触ピン６２ｃ、接触ピン６２ｄ及び接触ピン６２ｆ）の位置が充電端子の雌ネジ（雌ネジ３１ａ、雌ネジ３１ｃ、雌ネジ３１ｄ及び雌ネジ３１ｆ）に対してずれる。これにより、接触ピンが雌ネジではなく充電端子の表面に対向しやすくなっている。このため、接触ピンと充電端子との間における接触不良を抑制される。
【００５０】
無停電取替工具５においては、ケース５０は、端子ブロック２に向かって突出する複数の筒状突出部（筒状突出部５１ａ、筒状突出部５１ｂ、筒状突出部５１ｃ、筒状突出部５１ｄ、筒状突出部５１ｅ、及び筒状突出部５１ｆ）を備える。固定ネジ（固定ネジ６０ｂ及び固定ネジ６０ｅ）及び接触ピン（接触ピン６２ａ、接触ピン６２ｃ、接触ピン６２ｄ及び接触ピン６２ｆ）は、それぞれ筒状突出部（筒状突出部５１ａ、筒状突出部５１ｂ、筒状突出部５１ｃ、筒状突出部５１ｄ、筒状突出部５１ｅ、及び筒状突出部５１ｆ）から突出する。
【００５１】
これにより、端子ブロック２において充電端子及び非充電端子が配置される凹部（凹部２５ａ、凹部２５ｂ、凹部２５ｃ、凹部２５ｃ、凹部２５ｅ及び凹部２５ｆ）にそれぞれの筒状突出部が嵌まる。このため、無停電取替工具５を端子ブロック２に取り付けるときの、無停電取替工具５の位置決めが容易である。
【００５２】
（変形例１）
図８は、変形例１に係る無停電取替工具を示す正面図である。図９は、変形例１に係る無停電取替工具の電気回路を示す模式図である。なお、上述した実施形態で説明したものと同じ構成要素には同一の符号を付して重複する説明は省略する。
【００５３】
変形例１に係る無停電取替工具５Ａは、定格電流が３０Ａである電力量計に用いられる。定格電流が３０Ａである電力量計は、２つの充電端子と、２つの非充電端子と、を備える。Ｘ方向に、充電端子、非充電端子、非充電端子、充電端子の順に並んでいる。また、上述した実施形態と同様に、充電端子及び非充電端子には雌ネジが設けられている。
【００５４】
ケース５０Ａは、接触ピン６２ａＡ、固定ネジ６０ｂＡ、固定ネジ６０ｃＡ及び接触ピン６２ｄＡのそれぞれに対応する４つの筒状突出部を備える。固定ネジ６０ｂＡ及び固定ネジ６０ｃＡは、ケース５０Ａの正面側からドライバー等の工具によって右回りに回転させられることで、ケース５０Ａの背面側に突出する。
【００５５】
押込ネジ６１ａＡは、バイパス金具６５Ａに設けられたバイパス工具雌ネジに噛み合っている。図９に示すように、押込ネジ６１ａＡのＺ方向の位置は、接触ピン６２ａＡのＺ方向の位置に対してずれている。接触ピン６２ａＡは、上述した実施形態と同様に弾性部材を介してケース５０Ａに接合されている。押込ネジ６１ａＡが左回りに回転させられると、接触ピン６２ａＡが＋Ｙ方向に移動する。
【００５６】
押込ネジ６１ｄＡは、バイパス金具６５Ａに設けられたバイパス工具雌ネジに噛み合っている。図９に示すように、押込ネジ６１ｄＡのＺ方向の位置は、接触ピン６２ｄＡのＺ方向の位置に対してずれている。接触ピン６２ｄＡは、上述した実施形態と同様に弾性部材を介してケース５０Ａに接合されている。押込ネジ６１ｄＡが左回りに回転させられると、接触ピン６２ｄＡが＋Ｙ方向に移動する。
【００５７】
バイパス金具６５Ａは、金具片６５１と、金具片６５２と、ブリッジ６５３と、を備える。金具片６５１は、接触ピン６２ａＡと接続されている。金具片６５２は、接触ピン６２ｄＡと接続されている。ブリッジ６５３は、金具片６５１と金具片６５２とを接続している。接触ピン６２ａＡ及び接触ピン６２ｄＡが充電端子に接触すると、バイパス金具６５Ａを介して接触ピン６２ａＡから接触ピン６２ｄＡへ電流が流れる。
【００５８】
カレントトランスフォーマー６６Ａは、回路基板７０Ａと接続されている。図９に示すように、ブリッジ６５３がカレントトランスフォーマー６６Ａを貫通している。接触ピン６２ａＡから接触ピン６２ｄＡへ電流が流れると、カレントトランスフォーマー６６Ａは、所定の比率で小さくした電流を回路基板７０Ａに送る。
【００５９】
回路基板７０Ａは、ランプ７１Ａを点灯させるための電気回路が配置された基板である。ランプ７１Ａは、例えばＬＥＤランプである。ランプ７１Ａは、接触ピン６２ａＡから接触ピン６２ｄＡへ電流が流れたとき点灯する。
【００６０】
（変形例２）
図１０は、変形例２に係る無停電取替工具を示す正面図である。図１１は、変形例２に係る無停電取替工具の電気回路を示す模式図である。なお、上述した実施形態で説明したものと同じ構成要素には同一の符号を付して重複する説明は省略する。
【００６１】
変形例２に係る無停電取替工具５Ｂは、定格電流が１２０Ａである電力量計に用いられる。定格電流が１２０Ａである電力量計は、４つの充電端子と、２つの非充電端子と、を備える。Ｘ方向に、充電端子、非充電端子、充電端子、充電端子、非充電端子、充電端子の順に並んでいる。また、上述した実施形態と同様に、充電端子及び非充電端子には雌ネジが設けられている。
【００６２】
ケース５０Ｂは、接触ピン６２ａＢ、固定ネジ６０ｂＢ、接触ピン６２ｃＢ、接触ピン６０ｄＢ、固定ネジ６０ｅＢ、及び接触ピン６２ｆＢのそれぞれに対応する６つの筒状突出部を備える。固定ネジ６０ｂＢ及び固定ネジ６０ｅＢは、ケース５０Ｂの正面側からドライバー等の工具によって右回りに回転させられることで、ケース５０Ｂの背面側に突出する。
【００６３】
押込ネジ６１ａＢは、バイパス金具６５Ｂに設けられたバイパス工具雌ネジに噛み合っている。図１１に示すように、押込ネジ６１ａＢのＺ方向の位置は、接触ピン６２ａＢのＺ方向の位置に対してずれている。接触ピン６２ａＢは、上述した実施形態と同様に弾性部材を介してケース５０Ｂに接合されている。押込ネジ６１ａＢが左回りに回転させられると、接触ピン６２ａＢが＋Ｙ方向に移動する。
【００６４】
接触ピン６２ｃＢ及び接触ピン６２ｄＢは、バイパス金具６７Ｂで連結されている。接触ピン６２ｃＢに設けられた小径部６２２ｃＢ、及び接触ピン６２ｄＢに設けられた小径部６２２ｄＢがバイパス金具６７Ｂを貫通している。押込ネジ６１ｃｄＢは、バイパス金具６７Ｂに設けられたバイパス工具雌ネジを貫通しており、且つバイパス工具雌ネジに噛み合っている。バイパス金具６７Ｂは、上述した実施形態と同様に弾性部材を介してケース５０Ｂに接合されている。押込ネジ６１ｃｄＢが左回りに回転させられると、接触ピン６２ｃＢ及び接触ピン６２ｄＢが＋Ｙ方向に移動する。
【００６５】
押込ネジ６１ｆＢは、バイパス金具６５Ｂに設けられたバイパス工具雌ネジに噛み合っている。図１１に示すように、押込ネジ６１ｆＢのＺ方向の位置は、接触ピン６２ｆＢのＺ方向の位置に対してずれている。接触ピン６２ｆＢは、上述した実施形態と同様に弾性部材を介してケース５０Ｂに接合されている。押込ネジ６１ｆＢが左回りに回転させられると、接触ピン６２ｆＢが＋Ｙ方向に移動する。
【００６６】
図１１に示すように、バイパス金具６５Ｂは略Ｕ字形状であって、バイパス金具６７Ｂを迂回している。接触ピン６２ａＢ及び接触ピン６２ｆＢが充電端子に接触すると、バイパス金具６５Ｂを介して接触ピン６２ａＢから接触ピン６２ｆＢへ電流が流れる。
【００６７】
カレントトランスフォーマー６６Ｂは、回路基板７０Ｂと接続されている。図１１に示すように、接触ピン６２ａＢがカレントトランスフォーマー６６Ｂを貫通している。接触ピン６２ａＢから接触ピン６２ｆＢへ電流が流れると、カレントトランスフォーマー６６Ｂは、所定の比率で小さくした電流を回路基板７０Ｂに送る。
【００６８】
接触ピン６２ｃＢ及び接触ピン６２ｄＢが充電端子に接触すると、バイパス金具６７Ｂを介して接触ピン６２ｃＢから接触ピン６２ｄＢへ電流が流れる。
【００６９】
カレントトランスフォーマー６８Ｂは、回路基板７０Ｂと接続されている。図１１に示すように、接触ピン６２ｃＢがカレントトランスフォーマー６８Ｂを貫通している。接触ピン６２ｃＢから接触ピン６２ｄＢへ電流が流れると、カレントトランスフォーマー６８Ｂは、所定の比率で小さくした電流を回路基板７０Ｂに送る。
【００７０】
回路基板７０Ｂは、ランプ７１Ｂ及びランプ７２Ｂを点灯させるための電気回路が配置された基板である。ランプ７１Ｂ及びランプ７２Ｂは、例えばＬＥＤランプである。ランプ７１Ｂは、接触ピン６２ａＢから接触ピン６２ｆＢへ電流が流れたとき点灯する。ランプ７２Ｂは、接触ピン６２ｃＢから接触ピン６２ｄＢへ電流が流れたとき点灯する。
【符号の説明】
【００７１】
１  計量器
１００  電力量計
２  端子ブロック
２１  電線挿入穴
２２  端子ネジ
２５ａ、２５ｂ、２５ｃ、２５ｄ、２５ｅ、２５ｆ  凹部
３ａ、３ｃ、３ｄ、３ｆ  充電端子
３１ａ、３１ｃ、３１ｄ、３１ｆ  雌ネジ
４ｂ、４ｅ  非充電端子
４１ｂ、４１ｅ  雌ネジ
５、５Ａ、５Ｂ  無停電取替工具
５０、５０Ａ、５０Ｂ  ケース
５１ａ、５１ｂ、５１ｃ、５１ｄ、５１ｅ、５１ｆ  筒状突出部
５２ｂ、５２ｅ  ケース雌ネジ
６０ｂ、６０ｅ、６０ｂＡ、６０ｃＡ、６０ｂＢ、６０ｅＢ  固定ネジ
６１ａ、６１ｃｄ、６１ｆ、６１ａＡ、６１ｄＡ、６１ａＢ、６１ｃｄＢ、６１ｆＢ  押込ネジ
６２ａ、６２ｃ、６２ｄ、６２ｆ、６２ａＡ、６２ｄＡ、６２ａＢ、６２ｃＢ、６２ｄＢ、６２ｆＢ  接触ピン
６２２ｃ、６２２ｄ  小径部
６３ａ、６３ｃｄ、６３ｆ  弾性部材
６５、６７、６５Ａ、６５Ｂ、６７Ｂ  バイパス金具
６５１、６５２  金具片
６５１ａ、６５１ｆ  バイパス工具雌ネジ
６５３  ブリッジ
６６、６８、６６Ａ、６６Ｂ、６８Ｂ  カレントトランスフォーマー
６７１  バイパス工具雌ネジ
７０  回路基板
７１、７２、７１Ａ、７１Ｂ、７２Ｂ  ランプ
９  計器用配線
９ａ、９ｂ、９ｃ  電源側配線
９ｄ、９ｅ、９ｆ  負荷側配線
【図１】
2018025468.tif 000003
【図２】
2018025468.tif 000004
【図３】
2018025468.tif 000005
【図４】
2018025468.tif 000006
【図５】
2018025468.tif 000007
【図６】
2018025468.tif 000008
【図７】
2018025468.tif 000009
【図８】
2018025468.tif 000010
【図９】
2018025468.tif 000011
【図１０】
2018025468.tif 000012
【図１１】
2018025468.tif 000013
【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
充電部である充電端子、及び充電部ではなく且つ雌ネジを有する非充電端子を備える電力量計の端子ブロックに取り付けられる無停電取替工具であって、
ケースと、
前記ケースから突出し、前記雌ネジに取り付けられる固定ネジと、
前記充電端子同士を短絡させるための部材であって、前記ケースから突出し、前記充電端子の表面に接触させられる接触ピンと、
を備える無停電取替工具。
【請求項２】
前記充電端子の長手方向における前記接触ピンの位置は、前記長手方向における前記固定ネジの位置に対してずれている
請求項１に記載の無停電取替工具。
【請求項３】
前記ケースは、前記端子ブロックに向かって突出する複数の筒状突出部を備え、
前記固定ネジ及び前記接触ピンは、それぞれ前記筒状突出部から突出する
請求項１又は２に記載の無停電取替工具。